【事件の表示】
　特願２００８−　６６５３０「液晶表示装置のカラーフィルタ及びその製造方法」拒絶査定不服審判事件〔平成２０年　９月２５日出願公開、特開２００８−２２５４８１〕について、次のとおり審決する。
【結　論】
　本件審判の請求は、成り立たない。
【理　由】
第１　手続の経緯
　本願は、平成２０年３月１４日（パリ条約による優先権主張２００７年３月１４日、大韓民国）の出願であって、平成２３年６月１３日に手続補正がなされたところ、同年８月１日付けで拒絶査定がなされ、これに対し、同年１２月１４日に拒絶査定不服審判請求がなされるとともに、これと同時に手続補正がなされたものである。
　
　
第２　平成２３年１２月１４日付けの手続補正についての補正却下の決定
［補正却下の決定の結論］
　平成２３年１２月１４日付けの手続補正を却下する。
　
［理由］
１　補正の内容  
　平成２３年１２月１４日付けの手続補正（以下「本件補正」という。）は、補正前の請求項１を削除するとともに、補正前の請求項３を以下のように補正して新たに補正後の請求項１とすることを含むものである。
　
「カラーフィルタ基板と、
　前記カラーフィルタ基板上に行列状に形成され、１画素が第１の赤のサブ画素、第１の緑のサブ画素、及び第１の青のサブ画素と、第２の赤のサブ画素及び第３の緑のサブ画素からなる第１の対と、第２の緑のサブ画素及び第３の青のサブ画素からなる第２の対と、第２の青のサブ画素及び第３の赤のサブ画素からなる第３の対とから構成される複数の画素と、
　を含み、
　前記サブ画素は、１行×６列に配置され、そのうち、３つの列には、第１の赤、第１の緑、第１の青のサブ画素が配置され、残りの３つの列には、２行×３列に２つのサブ画素が一対となすように配置され、
　前記第１の赤のサブ画素、第１の緑のサブ画素、及び第１の青のサブ画素が、それぞれ異なる列に配置され、
　前記第２の赤のサブ画素及び第３の緑のサブ画素からなる第１の対、前記第２の緑のサブ画素及び第３の青のサブ画素からなる第２の対、並びに前記第２の青のサブ画素及び第３の赤のサブ画素からなる第３の対が、それぞれ異なる列に配置され、
　前記第２の赤のサブ画素及び第３の緑のサブ画素からなる第１の対がイエロー色（Ｙ）を実現し、前記第２の緑のサブ画素及び第３の青のサブ画素からなる第２の対がシアン色（Ｃ）を実現し、前記第２の青のサブ画素及び第３の赤のサブ画素からなる第３の対がマゼンタ色（Ｍ）を実現する
ことを特徴とする液晶表示装置のカラーフィルタ。」
　
　本件補正は、補正前（平成２３年６月１３日付け手続補正後のもの）の請求項３において、「サブ画素」が「１行×６列に配置され」、「そのうち、３つの列には、第１の赤、第１の緑、第１の青のサブ画素が配置され、残りの３つの列には、２行×３列に２つのサブ画素が一対となすように配置され」との限定を行うものであるから、上記補正は、平成２３年法律第６３号改正附則第２条第１８項によりなお従前の例によるとされる同法による改正前の特許法（以下「平成２３年改正前特許法」という。）第１７条の２第５項第２号の特許請求の範囲の減縮を目的とするものである。
　
２　独立特許要件 
　そこで、本件補正後の請求項１に係る発明（以下「本願補正発明」という。）が特許出願の際独立して特許を受けることができるものであるか（平成２３年改正前特許法第１７条の２第６項において準用する同法第１２６条第５項の規定に適合するか）について以下に検討する。
 　 
（１）刊行物記載の発明
　原査定の拒絶の理由に引用された、本願の優先日前に頒布された刊行物である特開２００７−１７９７３号公報（以下「引用刊行物」という。）には、図とともに以下の事項が記載されている。
　
　ア　「【特許請求の範囲】
【請求項１】
　上部に一つ以上の第１画素領域、及び第１サブ領域と第２サブ領域とを含む一つ以上の第２画素領域が形成されたベース基板と、
　前記第１画素領域及び前記第２画素領域の第１サブ領域に形成された第１カラーフィルタと、
　前記第２画素領域の第２サブ領域に形成された第２カラーフィルタと、
　を含むことを特徴とするカラーフィルタ基板。
【請求項２】
　前記第１カラーフィルタは、レッド、グリーンまたはブルー色を含むことを特徴とする請求項１記載のカラーフィルタ基板。
【請求項３】
　前記第１画素領域は、レッド画素領域、グリーン画素領域及びブルー画素領域を含み、前記第１カラーフィルタは前記レッド画素領域に形成されたレッドカラーフィルタ、前記グリーン画素領域に形成されたグリーンカラーフィルタ及び前記ブルー画素領域に形成されたブルーカラーフィルタを含むことを特徴とする請求項２記載のカラーフィルタ基板。
【請求項４】
　前記第２画素領域は、シアン画素領域、マゼンタ画素領域及びイエロー画素領域を含み、
　前記シアン画素領域の前記第１サブ領域には前記ブルーカラーフィルタが形成され、前記シアン画素領域の前記第２サブ領域には前記グリーンカラーフィルタが形成され、
　前記マゼンタ画素領域の第１サブ領域には前記レッドカラーフィルタが形成され、前記第２サブ領域には前記ブルーカラーフィルタが形成され、
　前記イエロー画素領域の第１サブ領域には前記レッドカラーフィルタが形成され、前記第２サブ領域には前記グリーンカラーフィルタが形成されることを特徴とする請求項３記載のカラーフィルタ基板。
…
【請求項２３】
　前記請求項１〜１１のいずれかに記載のカラーフィルタ基板と、
　前記カラーフィルタ基板に対向し、画素電極及び前記画素電極に画素電圧を印加するス
イッチング素子を含むアレイ基板と、
　前記アレイ基板と前記カラーフィルタ基板との間に介在された液晶層と、
　を含むことを特徴とする表示装置。」
　
　イ　「【０００１】
  本発明はカラーフィルタ基板、それの製造方法及びそれを含む表示装置に関し、より詳細に説明すると製造工程を単純化するためのカラーフィルタ基板、それの製造方法及びそれを含む表示装置に関する。」
　
　ウ　「【００３４】
…
　図１は本発明の一実施例によるカラーフィルタ基板の画素領域を示した平面図であり、図２は図１のＩ−Ｉ‘線に沿って切断した部分を示した断面図である。
【００３５】
　図１及び図２に示すように、本発明の一実施例によるカラーフィルタ基板１００はベース基板１１０及び前記ベース基板１１０上に形成された複数のカラーフィルタを含む。選択的に、前記カラーフィルタ基板１００はブラックマトリックス１１１をさらに含む。
前記ベース基板１１０は光学的に透明な物質を含む。例えば、ガラス基板が前記ベース基板１１０として使用されることができる。
前記ブラックマトリックス１１１は前記ベース基板１１０の上部に形成される。ブラックマトリックス１１１は光を遮断する。ブラックマトリックス１１１はマトリックス形状に配列された複数の開口部を含み、前記ベース基板１１０は前記開口部を通じて露出される。前記開口部はベース基板１１０上部に複数の画素領域を画定する。
それぞれの画素領域は第１画素領域１０１及び第２画素領域１０２を含む。また、第２画素領域１０２は第１サブ領域１０２ａ及び第２サブ領域１０２ｂを含む。
前記第１画素領域１０１はレッド画素領域（Ｒ）、グリーン画素領域（Ｇ）、ブルー画素領域（Ｂ）に対応し、前記第２画素領域１０２はシアン画素領域、マゼンタ画素領域、イエロー画素領域を含む。
【００３６】
　本発明では加法混色により前記シアン画素領域、マゼンタ画素領域及びイエロー画素領域を具現する。より詳細に説明すると、シアンはブルーに対応する波長領域の光とグリーンに対応する波長領域の光を足して具現され（Ｃ＝Ｂ＋Ｇ）、マゼンタはレッドに対応する波長領域の光とブルーに対応する波長領域の光を足して具現され（Ｍ＝Ｒ＋Ｂ）、イエローはレッドに対応する波長領域の光とグリーンに対応する波長領域の光を足して具現される（Ｙ＝Ｒ＋Ｇ）。
【００３７】
　従って、シアン領域、マゼンタ領域、イエロー画素領域に対応する前記第２画素領域１０２は前記第１サブ領域１０２ａ、及び第２サブ領域１０２ｂを含み、第１サブ領域１０２ａ及び第２サブ領域１０２ｂにレッドカラーフィルタ、グリーンカラーフィルタ及びブルーカラーフィルタのうち互いに異なる二つの色を有するカラーフィルタがそれぞれ形成され前記シアン、マゼンタ、イエローカラーフィルタを形成する。」
　
　エ　前記アの【請求項２３】の記載に照らして、【請求項１】や前記ウに記載された「カラーフィルタ基板（１００）」は、「液晶表示装置」に用いられるものといえる。
　
　オ　前記ウを踏まえて図１をみると、
　（ア）（第１画素領域１０１の）レッド画素領域（Ｒ）、グリーン画素領域（Ｇ）及びブルー画素領域（Ｂ）は、画素領域において、横方向（左右方向）に順に配列されていること、
　（イ）第２画素領域１０２において、
　　ａ　（レッドカラーフィルタ及びブルーカラーフィルタが形成されてなる）マゼンダ領域は、前記レッド画素領域（Ｒ）の縦方向下方に配置され、
　　ｂ　（グリーンカラーフィルタ及びレッドカラーフィルタが形成されてなる）イエロー領域は、前記グリーン画素領域（Ｇ）の縦方向下方に配置され、
　　ｃ　（ブルーカラーフィルタ及びグリーンカラーフィルタが形成されてなる）シアン領域は、前記ブルー画素領域（Ｂ）の縦方向下方に配置されていること、
が見て取れる。
　
　上記摘記事項の記載を総合すると、引用刊行物には、以下の発明（以下「引用発明」という。）が記載されている、と認められる。
　
「上部に一つ以上の第１画素領域、及び第１サブ領域と第２サブ領域とを含む一つ以上の第２画素領域が形成されたベース基板と、
　前記第１画素領域及び前記第２画素領域の第１サブ領域に形成された第１カラーフィルタと、
　前記第２画素領域の第２サブ領域に形成された第２カラーフィルタとを含み、
　前記第１画素領域は、レッド画素領域、グリーン画素領域及びブルー画素領域を含み、
　前記第１カラーフィルタは前記レッド画素領域に形成されたレッドカラーフィルタ、前記グリーン画素領域に形成されたグリーンカラーフィルタ及び前記ブルー画素領域に形成されたブルーカラーフィルタを含み、
　前記第２画素領域は、シアン画素領域、マゼンタ画素領域及びイエロー画素領域を含む、液晶表示装置に用いられるカラーフィルタ基板であって、
　一実施例において、カラーフィルタ基板１００はベース基板１１０及び前記ベース基板１１０上に形成された複数のカラーフィルタを含み、選択的に、前記カラーフィルタ基板１００はブラックマトリックス１１１をさらに含み、ブラックマトリックス１１１はマトリックス形状に配列された複数の開口部を含み、前記ベース基板１１０は前記開口部を通じて露出され、前記開口部はベース基板１１０上部に複数の画素領域を画定し、それぞれの画素領域は第１画素領域１０１及び第２画素領域１０２を含み、
　前記第１画素領域１０１はレッド画素領域（Ｒ）、グリーン画素領域（Ｇ）、ブルー画素領域（Ｂ）に対応し、
　前記第２画素領域１０２はシアン画素領域、マゼンタ画素領域、イエロー画素領域を含み、シアンはブルーに対応する波長領域の光とグリーンに対応する波長領域の光を足して具現され、マゼンタはレッドに対応する波長領域の光とブルーに対応する波長領域の光を足して具現され、イエローはレッドに対応する波長領域の光とグリーンに対応する波長領域の光を足して具現され、シアン領域、マゼンタ領域、イエロー画素領域に対応する前記第２画素領域１０２は前記第１サブ領域１０２ａ、及び第２サブ領域１０２ｂを含み、第１サブ領域１０２ａ及び第２サブ領域１０２ｂにレッドカラーフィルタ、グリーンカラーフィルタ及びブルーカラーフィルタのうち互いに異なる二つの色を有するカラーフィルタがそれぞれ形成されシアン、マゼンタ、イエローカラーフィルタを形成し、
　前記第１画素領域１０１のレッド画素領域（Ｒ）、グリーン画素領域（Ｇ）及びブルー画素領域（Ｂ）は、画素領域において、横方向（左右方向）に順に配列され、
　前記第２画素領域１０２において、レッドカラーフィルタ及びブルーカラーフィルタが形成されてなるマゼンダ領域は、前記レッド画素領域（Ｒ）の縦方向下方に配置され、グリーンカラーフィルタ及びレッドカラーフィルタが形成されてなるイエロー領域は、前記グリーン画素領域（Ｇ）の縦方向下方に配置され、ブルーカラーフィルタ及びグリーンカラーフィルタが形成されてなるシアン領域は、前記ブルー画素領域（Ｂ）の縦方向下方に配置されている、カラーフィルタ基板。」
　 
（２）対比、判断
　本願補正発明と引用発明とを対比する。
　
　ア　引用発明の「ベース基板１１０」は、本願補正発明の「カラーフィルタ−基板」に相当する。
　
　イ　引用発明は、「（マトリックス形状に配列された複数の開口部を含むブラックマトリックス１１１の前記開口部を通じて露出された）ベース基板１１０」上部に「第１画素領域１０１」及び「第２画素領域１０２」を画定し、それぞれの「画素領域」は「第１画素領域１０１」及び「第２画素領域１０２」を含み、前記「第１画素領域１０１」は「レッド画素領域（Ｒ）、グリーン画素領域（Ｇ）、ブルー画素領域（Ｂ）」に対応し、前記「レッド画素領域」には「レッドカラーフィルタ」が形成され、前記「グリーン画素領域」には「グリーンカラーフィルタ」が形成され、前記「ブルー画素領域」には「ブルーカラーフィルタ」が形成されてなるものである。また、引用発明は、前記「第２画素領域１０２」が「シアン画素領域、マゼンタ画素領域、イエロー画素領域」を含み、前記「イエロー領域」には「グリーンカラーフィルタ及びレッドカラーフィルタが形成され」、前記「シアン領域」には「ブルーカラーフィルタ及びグリーンカラーフィルタが形成され」、前記「マゼンダ領域」には「レッドカラーフィルタ及びブルーカラーフィルタが形成され」てなるものである。よって、
　（ア）引用発明の「（第１画素領域１０１及び第２画素領域１０２を含む、それぞれの）画素領域」は、本願補正発明の「１画素」に相当し、
　（イ）引用発明の「（第１画素領域１０１のレッド画素領域に形成された）レッドカラーフィルタ」、「（第１画素領域１０１のグリーン画素領域に形成された）グリーンカラーフィルタ」及び「（第１画素領域１０１のブルー画素領域に形成された）ブルーカラーフィルタ」は、それぞれ、本願補正発明の「第１の赤のサブ画素」、「第１の緑のサブ画素」及び「第１の青のサブ画素」に相当し、
　（ウ）引用発明の「（第２画素領域１０２のイエロー領域に形成された）レッドカラーフィルタ」、「（第２画素領域１０２のイエロー領域に形成された）グリーンカラーフィルタ」、「（第２画素領域１０２のシアン領域に形成された）グリーンカラーフィルタ」、「（第２画素領域１０２のシアン領域に形成された）ブルーカラーフィルタ」、「（第２画素領域１０２のマゼンダ領域に形成された）ブルーカラーフィルタ」及び「（第２画素領域１０２のマゼンダ領域に形成された）レッドカラーフィルタ」は、それぞれ、本願補正発明の「第２の赤のサブ画素」、「第３の緑のサブ画素」、「第２の緑のサブ画素」、「第３の青のサブ画素」、「第２の青のサブ画素」及び「第３の赤のサブ画素」に相当し、
　（エ）引用発明の「（イエロー領域に形成された）『レッドカラーフィルタ』及び『グリーンカラーフィルタ』」、「（シアン領域に形成された）『グリーンカラーフィルタ』及び『ブルーカラーフィルタ』」及び「（マゼンダ領域に形成された）『ブルーカラーフィルタ』及び『レッドカラーフィルタ』」は、それぞれ、本願補正発明の「第２の赤のサブ画素及び第３の緑のサブ画素からなる第１の対」、「第２の緑のサブ画素及び第３の青のサブ画素からなる第２の対」及び「第２の青のサブ画素及び第３の赤のサブ画素からなる第３の対」に相当する。また、
　（オ）引用発明は、本願補正発明の「前記カラーフィルタ基板上に行列状に形成され、１画素が第１の赤のサブ画素、第１の緑のサブ画素、及び第１の青のサブ画素と、第２の赤のサブ画素及び第３の緑のサブ画素からなる第１の対と、第２の緑のサブ画素及び第３の青のサブ画素からなる第２の対と、第２の青のサブ画素及び第３の赤のサブ画素からなる第３の対とから構成される複数の画素と、を含み」との事項、及び、「前記第２の赤のサブ画素及び第３の緑のサブ画素からなる第１の対がイエロー色（Ｙ）を実現し、前記第２の緑のサブ画素及び第３の青のサブ画素からなる第２の対がシアン色（Ｃ）を実現し、前記第２の青のサブ画素及び第３の赤のサブ画素からなる第３の対がマゼンタ色（Ｍ）を実現する」との事項を備える。
　
　ウ　引用発明は、「第１画素領域１０１の（レッドカラーフィルタが形成された）レッド画素領域（Ｒ）、（グリーンカラーフィルタが形成された）グリーン画素領域（Ｇ）及び（ブルーカラーフィルタが形成された）ブルー画素領域（Ｂ）」が、「画素領域において、横方向（左右方向）に順に配列され」たものであるから、本願補正発明の「前記第１の赤のサブ画素、第１の緑のサブ画素、及び第１の青のサブ画素が、それぞれ異なる列に配置され」との事項を備える。
　
　エ　引用発明は、「（第１画素領域１０１の）レッド画素領域（Ｒ）」、「（同）グリーン画素領域（Ｇ）」及び「（同）ブルー画素領域（Ｂ）」が「画素領域において、横方向（左右方向）に順に配列され」たものであるところ、「第２画素領域１０２において」、「レッドカラーフィルタ及びブルーカラーフィルタが形成されてなる前記マゼンダ領域」が「前記レッド画素領域（Ｒ）の縦方向下方に配置され」、「グリーンカラーフィルタ及びレッドカラーフィルタが形成されてなる前記イエロー領域」が「前記グリーン画素領域（Ｇ）の縦方向下方に配置され」、「ブルーカラーフィルタ及びグリーンカラーフィルタが形成されてなる前記シアン領域」が「前記ブルー画素領域（Ｂ）の縦方向下方に配置され」てなるものであって、前記「イエロー領域」、「シアン領域」及び「マゼンダ領域」がそれぞれ異なる列に配置されてなるものといえるから、引用発明は、本願補正発明の「前記第２の赤のサブ画素及び第３の緑のサブ画素からなる第１の対、前記第２の緑のサブ画素及び第３の青のサブ画素からなる第２の対、並びに前記第２の青のサブ画素及び第３の赤のサブ画素からなる第３の対が、それぞれ異なる列に配置され」との事項を備える。
　
　オ　引用発明の「（液晶表示装置に用いられる）カラーフィルタ基板」は、本願補正発明の「液晶表示装置のカラーフィルタ」に相当する。
　
　したがって、両者は、 
「カラーフィルタ基板と、
　前記カラーフィルタ基板上に行列状に形成され、１画素が第１の赤のサブ画素、第１の緑のサブ画素、及び第１の青のサブ画素と、第２の赤のサブ画素及び第３の緑のサブ画素からなる第１の対と、第２の緑のサブ画素及び第３の青のサブ画素からなる第２の対と、第２の青のサブ画素及び第３の赤のサブ画素からなる第３の対とから構成される複数の画素と、
　を含み、
　前記第１の赤のサブ画素、第１の緑のサブ画素、及び第１の青のサブ画素が、それぞれ異なる列に配置され、
　前記第２の赤のサブ画素及び第３の緑のサブ画素からなる第１の対、前記第２の緑のサブ画素及び第３の青のサブ画素からなる第２の対、並びに前記第２の青のサブ画素及び第３の赤のサブ画素からなる第３の対が、それぞれ異なる列に配置され、
　前記第２の赤のサブ画素及び第３の緑のサブ画素からなる第１の対がイエロー色（Ｙ）を実現し、前記第２の緑のサブ画素及び第３の青のサブ画素からなる第２の対がシアン色（Ｃ）を実現し、前記第２の青のサブ画素及び第３の赤のサブ画素からなる第３の対がマゼンタ色（Ｍ）を実現する
液晶表示装置のカラーフィルタ。」 
である点で一致し、次の各点で相違する。 
　 
　本願補正発明は、サブ画素が、１行×６列に配置され、そのうち、３つの列には、第１の赤、第１の緑、第１の青のサブ画素が配置され、残りの３つの列には、２行×３列に２つのサブ画素が一対となすように配置されるのに対し、引用発明は、第１の赤、第１の緑、第１の青のサブ画素が３つの列に配置されるものではあるものの、サブ画素が、１行×６列に配置されてはいない点（以下「相違点」という。）。
　
　上記相違点につき検討する。
　引用発明において、（「第１画素領域１０１」を構成する）「レッド画素領域（Ｒ）」、「グリーン画素領域（Ｇ）」、「ブルー画素領域（Ｂ）」、及び、（「第２画素領域１０２」を構成する）「イエロー領域」、「シアン領域」、「マゼンダ領域」の各サブ画素を、各画素領域内において具体的にどのように配置するかは、当業者が当該引用発明を実施する上で設計上定めるべき設計的事項であるところ、本願明細書等の記載をみても、本願補正発明において、サブ画素を１行×６列に配置し、そのうち、３つの列には、第１の赤、第１の緑、第１の青のサブ画素を配置し、残りの３つの列には、２行×３列に２つのサブ画素を一対となすように配置した点に設計的事項の域を超えるほどの格別の技術的意義があるものとは認められず、本願補正発明の奏する効果が、引用発明から当業者が予測困難な程の格別顕著なものということはできない。したがって、引用発明において、上記相違点に係る本願補正発明の構成となすことは、当業者が適宜になし得ることである。
　
　したがって、本願補正発明は、引用刊行物に記載された発明に基づいて当業者が容易に発明をすることができたものであるから、特許法第２９条第２項の規定により、特許出願の際独立して特許を受けることができないものである。  
 　 
（３）むすび  
　以上のとおり、本件補正は、平成２３年改正前特許法第１７条の２第６項において準用する同法第１２６条第５項の規定に違反するので、同法第１５９条第１項の規定において読み替えて準用する同法第５３条第１項の規定により却下すべきものである。
　
　
第３　本願発明について
１　本願発明
　本件補正は上記のとおり却下されたので、本願の請求項に係る発明は、平成２３年６月１３日付け手続補正書の特許請求の範囲の請求項１〜１２に記載された事項によって特定されるものであるところ、その請求項３に係る発明は次のとおりのものである。
　
「【請求項１】
　カラーフィルタ基板と、
　前記カラーフィルタ基板上に行列状に形成され、１画素が第１の赤のサブ画素、第１の緑のサブ画素、及び第１の青のサブ画素と、第２の赤のサブ画素及び第３の緑のサブ画素からなる第１の対と、第２の緑のサブ画素及び第３の青のサブ画素からなる第２の対と、第２の青のサブ画素及び第３の赤のサブ画素からなる第３の対とから構成される複数の画素と、
　を含み、
　前記第１の赤のサブ画素、第１の緑のサブ画素、及び第１の青のサブ画素が、それぞれ異なる列に配置され、
　前記第２の赤のサブ画素及び第３の緑のサブ画素からなる第１の対、前記第２の緑のサブ画素及び第３の青のサブ画素からなる第２の対、並びに前記第２の青のサブ画素及び第３の赤のサブ画素からなる第３の対が、それぞれ異なる列に配置された
ことを特徴とする液晶表示装置のカラーフィルタ。
…
　【請求項３】
　前記第２の赤のサブ画素及び第３の緑のサブ画素からなる第１の対がイエロー色（Ｙ）を実現し、前記第２の緑のサブ画素及び第３の青のサブ画素からなる第２の対がシアン色（Ｃ）を実現し、前記第２の青のサブ画素及び第３の赤のサブ画素からなる第３の対がマゼンタ色（Ｍ）を実現することを特徴とする請求項１に記載の液晶表示装置のカラーフィルタ。」（以下、請求項３に係る発明を「本願発明」という。）
　
２　刊行物記載の発明
　原審における拒絶の理由に引用された、本願の優先日前に頒布された引用刊行物及び引用発明は、上記第２の２（１）のとおりである。
　
３　対比、判断
　本願発明と引用発明とを対比するに、上記第２の２（２）ア〜オに照らせば、両者は、
「カラーフィルタ基板と、
　前記カラーフィルタ基板上に行列状に形成され、１画素が第１の赤のサブ画素、第１の緑のサブ画素、及び第１の青のサブ画素と、第２の赤のサブ画素及び第３の緑のサブ画素からなる第１の対と、第２の緑のサブ画素及び第３の青のサブ画素からなる第２の対と、第２の青のサブ画素及び第３の赤のサブ画素からなる第３の対とから構成される複数の画素と、
　を含み、
　前記第１の赤のサブ画素、第１の緑のサブ画素、及び第１の青のサブ画素が、それぞれ異なる列に配置され、
　前記第２の赤のサブ画素及び第３の緑のサブ画素からなる第１の対、前記第２の緑のサブ画素及び第３の青のサブ画素からなる第２の対、並びに前記第２の青のサブ画素及び第３の赤のサブ画素からなる第３の対が、それぞれ異なる列に配置され、
　前記第２の赤のサブ画素及び第３の緑のサブ画素からなる第１の対がイエロー色（Ｙ）を実現し、前記第２の緑のサブ画素及び第３の青のサブ画素からなる第２の対がシアン色（Ｃ）を実現し、前記第２の青のサブ画素及び第３の赤のサブ画素からなる第３の対がマゼンタ色（Ｍ）を実現する
液晶表示装置のカラーフィルタ。」
である点で一致し、両発明の間には差異はない。
　
　したがって、本願発明は、引用刊行物に記載された発明であるから、特許法第２９条第１項第３号に該当し、特許を受けることができないものである。
　
４　むすび
　以上のとおり、本願発明は、引用刊行物に記載された発明であるから、特許法第２９条第１項第３号に該当し、特許を受けることができない。
　
　よって、結論のとおり審決する。